(57)【特許請求の範囲】
【請求項１】
一対のほぼ四角枠状をなす脚部の両側部を各々ジョイント体を介装して連結部材で回動可能に連結した支持スタンドであって、
前記ジョイント体には、一対の脚部が開脚した状態においてジョイント体上に位置する脚部の両側に位置して脚部の開方向への回動及び閉方向への回動を規制する第１保持手段と、一対の脚部が閉脚した状態においてジョイント体上に位置する脚部の両側に位置して脚部の開方向への回動を規制する第２保持手段とが設けられており、
前記第１保持手段は、ジョイント体に突出形成された複数の突起であり、該第１保持手段において脚部の開方向への回動を規制する突起の突出長が脚部の閉方向への回動を規制する突起の突出長よりも大きく形成され、
前記第２保持手段は、ジョイント体に突出形成された複数の突起であり、該突起と前記第１保持手段における脚部の閉方向への回動を規制する突起とは同一である支持スタンド。
【発明の詳細な説明】
【０００１】
【発明の属する技術分野】
この発明は、例えば、ゴミ箱、収容袋、ランドリーバスケット（洗濯物収容かご）等を上部に支持する支持スタンドに関するものである。
【０００２】
【従来の技術】
例えば、買い物袋をゴミ収集用の袋として設置する場合、買い物袋は、その上端開口部が開口されるとともに、袋形状が保持されて地面等に接地しないように支持スタンドの上部に支持されている。この支持スタンドは、ほぼ四角枠状をなす一対の脚部が、それらの両側部の中央において、軸体等の取付部材により回動可能に連結され、正面Ｘ字状に開脚できるようになっている。さらに、一対の脚部を開脚させたとき、一対の脚部が所定以上開くのを規制し、その位置を保持する保持手段が支持スタンドに設けられている。
【０００３】
その保持手段は、例えば一対の脚部の下端部に設けられた規制部材により構成されている。この規制部材は帯状をなす一対の金属板の一端部同士を、支持軸により回動可能に連結して構成されている。そして、両脚部の下端部の両側部間に規制部材が架設される。
【０００４】
この規制部材は、一対の脚部を閉じると、支持軸を中心に回動して正面への字状に屈曲した状態になっている。一対の脚部を開くと、支持軸を中心に回動して、規制部材はその両端が離れるように屈曲状態から直線状態になる。そして、規制部材がほぼ直線状態になるまで開脚したとき、規制部材は一対の脚部がそれ以上開くのを規制するとともに、両脚部をその位置に保持するようになっている。
【０００５】
【発明が解決しようとする課題】
ところが、一対の脚部間に架設される規制部材は屈曲と直線の両方の形態をとるためにその中心に挿通された支持軸により回動可能に構成されている。そのため、支持スタンドに保持手段を設けるには、その構造が複雑で部品点数が多くなり、その製造コストが嵩むという問題があった。また、一対の脚部を取付部材で連結し、さらに、保持手段を一対の脚部に設置するため、支持スタンドの組立が非常に面倒であるという問題もあった。
【０００６】
この発明は、このような従来技術に存在する問題点に着目してなされたものである。その目的とするところは、部品点数を少なくして、その構成を簡易化するとともに、組立が簡単で製造コストの低減を図ることができる支持スタンド提供することにある。
【０００７】
【課題を解決するための手段】
上記の目的を達成するために、請求項１に記載の発明の支持スタンドは、一対のほぼ四角枠状をなす脚部の両側部を各々ジョイント体を介装して連結部材で回動可能に連結した支持スタンドであって、前記ジョイント体には、一対の脚部が開脚した状態においてジョイント体上に位置する脚部の両側に位置して脚部の開方向への回動及び閉方向への回動を規制する第１保持手段と、一対の脚部が閉脚した状態においてジョイント体上に位置する脚部の両側に位置して脚部の開方向への回動を規制する第２保持手段とが設けられており、前記第１保持手段は、ジョイント体に突出形成された複数の突起であり、該第１保持手段において脚部の開方向への回動を規制する突起の突出長が脚部の閉方向への回動を規制する突起の突出長よりも大きく形成され、前記第２保持手段は、ジョイント体に突出形成された複数の突起であり、該突起と前記第１保持手段における脚部の閉方向への回動を規制する突起とは同一であるものである。
【００１０】
【発明の実施の形態】
以下、この発明の実施形態を、図面に基づいて詳細に説明する。
図１及び図２に示すように、支持スタンド１１は、一対のほぼ細長四角枠状をなす金属線材製の脚部１２の両側部を各々ジョイント体１３を介装して連結部材としての連結軸１４で回動可能に連結して構成されている。
【００１１】
前記各脚部１２は相対向する一対の長辺と相対向する一対の短辺とによりほぼ細長四角枠状に形成されている。各脚部１２の一方の短辺には、その両端より若干内側位置からコの字状に折曲げられた係合部としての折曲げ部１５がそれぞれ形成されている。折曲げ部１５の両側には、係止部１６が構成されている。また、両長辺の軸線方向のほぼ中央には図示されない貫通孔が形成され、連結軸１４が挿通可能になっている。
【００１２】
図１及び図３（ａ）に示すように、前記ジョイント体１３は合成樹脂材料によりほぼ円盤状に形成され、その両側部には正面ほぼ楕円状をなす突起としての規制部１７がジョイント体１３の両面側へ突出して形成されている。図３（ａ）の破線に示すように、ジョイント体１３の中心には取付孔１８が貫通形成されている。また、図３（ｂ）に示すように、ジョイント体１３の両面には、前記取付孔１８を中心に点対称に位置する一対の突起としての規制凸部１９が２箇所に形成され、それらは平面円弧状に突出形成されている。
【００１３】
そして、一対のジョイント体１３を配置し、それらの外面上に一方の脚部１２の両長辺側をそれぞれ配置し、内面上に他方の脚部１２の両長辺側をそれぞれ配置する。さらに、一方の脚部１２の貫通孔、ジョイント体１３の取付孔１８及び他方のジョイント体１３の貫通孔に連結軸１４を貫通し、一対の脚部１２の長辺をそれぞれジョイント体１３を介して連結し、連結軸１４を中心に回動可能に支持させて支持スタンド１１が構成されている。
【００１４】
両ジョイント体１３の外面側において、一方の規制部１７の内側面とそれに隣接する上側の規制凸部１９との間及び他方の規制部１７の内側面とそれに隣接する下側の規制凸部１９との間に、一方の脚部１２が開脚した状態を保持する第１保持手段が構成される。また、両ジョイント体１３の内面側において、他方の規制部１７の内側面とそれに隣接する上側の規制凸部１９との間及び一方の規制部１７の内側面とそれに隣接する下側の規制凸部１９との間に、他方の脚部１２が開脚した状態を保持する第１保持手段が構成される。
【００１５】
また、横方向に隣接する上下各一対の規制凸部１９の間に、一対の脚部１２が閉脚した状態を保持する第２保持手段が構成されている。また、前記規制部１７の内側面とそれに隣接する規制凸部１９間の間隔は前記脚部１２の長辺の外径よりそれぞれ若干大きめに形成されている。
【００１６】
そして、一対の脚部１２をそれぞれ横方向に隣接する上下各一対の規制凸部１９の間に位置させることにより、第２保持手段により両脚部１２が閉じた状態を保持するようになっている。また、一対の脚部１２の上下両端部がそれぞれ離れるように回動させて正面Ｘ字状に位置させると第１保持手段により両脚部１２が開いた状態を保持するようになっている。
【００１７】
次に、前記支持スタンド１１に支持される又は支持スタンド１１が支持され、被収容物としてのゴミを収容する収容体としての収容容器２０について説明する。図４に示すように、収容容器２０を構成する容器本体２１はポリプロピレンによりほぼ細長四角板状に形成された図示されない底壁と、その底壁の周縁に沿って立設された相対向する一対の短側壁２３と、相対向する一対の長側壁２４とから有底細長四角箱状に構成されている。さらに、両短側壁２３及び両長側壁２４は上部側ほど僅かに拡がるテーパ形状に形成されている。また、各短側壁２３及び各長側壁２４の高さを変更することにより、容量の異なる収容容器２０が複数種類成形される。
【００１８】
図１及び図５（ａ）に示すように、容器本体２１の両短側壁２３及び両長側壁２４の上端縁からは、外方に向かって延びるフランジ２５が突設されている。そのフランジ２５の上面には、両短側壁２３及び両長側壁２４の上端縁よりやや外方位置から上方へ延びる開口枠２６が突設されている。
【００１９】
一方の短側壁２３上に位置するフランジ２５の上面の両側には楕円柱状の係合突起２７がそれぞれ形成され、それらと開口枠２６との間に短側壁２３の幅方向へ延びる係合凹部２８が形成されている。他方の短側壁２３上に位置するフランジ２５の上面の両側には、一対の支持部２９が上方へそれぞれ突設され、その支持部２９間には軸体３０がそれぞれ架設されている。そして、それらと開口枠２６との間に短側壁２３の幅方向へ延びる係合凹部２８が形成されている。
【００２０】
両短側壁２３上に位置するフランジ２５の下面において、それらの両側には突出板３１がそれぞれ下方へ突設され、それらの突出板３１には下方へ開口する係止凹部３２がそれぞれ円弧状に凹設されている。前記支持スタンド１１の一対の脚部１２の折曲げ部１５の軸線方向への長さは突出板３１間の間隔とほぼ同じに形成されている。
【００２１】
図４及び図５（ａ）に示すように、前記開口枠２６より内方に位置するフランジ２５上には、容器本体２１内に収容される図示されない収容袋を吊下げ保持する保持枠３３が装着されるようになっている。この保持枠３３は金属製の線材により、相対向する一対の長辺と相対向する一対の短辺とによりほぼ細長四角枠状に形成されている。両長辺の長さ方向への長さは、容器本体２１の長側壁２４の上端縁とほぼ同じに形成され、両短辺の長さ方向への長さは、容器本体２１の短側壁２３の上端縁とほぼ同じに形成されている。
【００２２】
両短辺の両端より若干内側位置からコの字状に折曲げられた掛止部３７が形成されている。そして、その掛止部３７に収容体としての図示されない収容袋に形成された一対の手提げ部を掛止し、さらに、両掛止部３７を両短側壁２３側のフランジ２５上に掛止させることにより、収容袋を保持枠３３に吊下げ保持した状態で容器本体２１内に収容することができるようになっている。
【００２３】
図５に示すように、収容容器２０の上面開口部を閉塞する蓋体３４は合成樹脂材料により細長四角板状に形成されている。図５（ａ）の破線に示すように、その裏面の一端側の両側部には外方へ開口する一対の嵌合凹部３５を備えた嵌合部３６がそれぞれ形成されている。そして、収容容器２０の一対の軸体３０に嵌合凹部３５をそれぞれ嵌合することにより、収容容器２０の上部に蓋体３４を回動可能に取付けるようになっている。
【００２４】
次に、支持スタンド１１の作用について説明する。
まず、保持枠３３の両掛止部３７に収容袋の一対の手提げ部を掛止し、さらに、両掛止部３７を収容容器２０の両短側壁２３側のフランジ２５上に掛止させて、収容袋を保持枠３３に吊下げ保持した状態で容器本体２１内に収容する。
【００２５】
図２の２点鎖線に示すように、閉じた状態の支持スタンド１１において、一対の脚部１２はそれぞれ横方向に隣接する上下各一対の規制凸部１９の間に位置し、第２保持手段により閉脚状態が保持されている。そのため、支持スタンド１１は、規制凸部１９によって、一対の脚部１２が不用意に開くのが防止される。
【００２６】
次に、両ジョイント体１３の両面において、一対の脚部１２を取付孔１８を中心に点対称に位置する一対の規制凸部１９の上面をそれぞれ乗り越えさせ、それらの両端部がそれぞれ離れるように回動させて正面Ｘ字状に位置させる。このとき、各規制凸部１９は平面形状が緩やかな円弧状に突出形成されているため、各脚部１２の回動作業が容易に行われる。
【００２７】
次いで、一方の脚部１２の長辺を一方の規制部１７の内側面とそれに隣接する上側の規制凸部１９との間及び他方の規制部１７の内側面とそれに隣接する下側の規制凸部１９との間に配置し、他方の脚部１２の長辺を他方の規制部１７の内側面とそれに隣接する上側の規制凸部１９との間及び一方の規制部１７の内側面とそれに隣接する下側の規制凸部１９との間に配置する。すると、第１保持手段により各脚部１２がその位置が保持されて、それ以上開くのが規制されるとともに、各脚部１２が閉じるのが規制される。
【００２８】
続いて、図５（ａ）に示すように、両脚部１２を開いた状態において、各脚部１２の係止部１６が形成されていない側、つまり、支持スタンド１１の下端部の両短辺を収容容器２０の係合凹部２８に対してそれぞれ上方から係合するとともに、両短辺をフランジ２５上に支持させて、支持スタンド１１を収容容器２０上に支持させる。
【００２９】
このとき、図３（ａ）に示すように、各規制部１７の内側面とそれに隣接する規制凸部１９間の間隔は前記脚部１２の長辺の外径より若干大きめに形成されている。そのため、各脚部１２は規制部１７の内側面とそれに隣接する規制凸部１９との間でその位置を微調整することができ、各脚部１２の下端部の両短辺の位置を両係合凹部２８に容易に対応させることができる。しかも、第１保持手段により両脚部１２の開脚状態が保持されているため、各脚部１２の位置の微調整を行っても各脚部１２が開くのが防止される。その後、収容容器２０の一対の軸体３０に、蓋体３４の嵌合凹部３５をそれぞれ嵌合して蓋体３４を収容容器２０の上部に回動可能に取り付ける。
【００３０】
さらに、図５（ｂ）に示すように、支持スタンド１１の折曲げ部１５を別の収容容器２０の突出板３１間に位置させ、その係止部１６を別の収容容器２０の係止凹部３２に係止させる。すると、支持スタンド１１の上部に別の収容容器２０が支持される。
【００３１】
このとき、折曲げ部１５は突出板３１間に挟み込まれる。そのため、例えば側方から外力が作用して、別の収容容器２０が横方向へ移動しようとしたとき、突出板３１の内面が折曲げ部１５に当接して、折曲げ部１５により別の収容容器２０が横方向へ移動不能に支持スタンド１１の上部に支持される。
【００３２】
このときも、図３（ａ）に示すように、各脚部１２は規制部１７の内側面とそれに隣接する規制凸部１９との間でその位置を微調整することができ、各脚部１２の両係止部１６の位置を両係止凹部３２に容易に対応させることができる。
【００３３】
その結果、図６に示すように、支持スタンド１１が収容容器２０の上部に支持され、その支持スタンド１１の上部に別の収容容器２０が支持される。このとき、支持スタンド１１は第１保持手段により、その両脚部１２が開脚しないように保持されている。そのため、支持スタンド１１上の別の収容容器２０は安定した状態で支持スタンド１１の上部に支持される。そして、それらを横方向へ２つ並べ、例えば、下側に位置する収容容器２０に被収容物として燃えないゴミを収集し、上側に位置する収容容器２０に被収容物として燃えるゴミを収集することにより、両者を分別して収集することができる。
【００３４】
前記の実施形態によって発揮される効果について、以下に記載する。
・  ジョイント体１３の両面には、一対の規制部１７とそれらにそれぞれ隣接する規制凸部１９とが形成され、それらにより第１保持手段が構成され、横方向に隣接する上下各一対の規制凸部１９により第２保持手段が構成されている。そのため、一対の脚部１２の開閉状態を保持する保持手段を、簡単な構成のジョイント体１３のみで構成することができ、部品点数が少なく製造コストの低減を図ることができる。また、一対の脚部１２を連結軸１４により連結する際に、ジョイント体１３は脚部１２間に介装される。そのため、一対の脚部１２を連結軸１４により連結すると同時に保持手段を支持スタンド１１に設置することができ、その組立作業を簡単に行うことができる。
【００３５】
・  第１保持手段はジョイント体１３に突出形成された一対の規制部１７とそれらにそれぞれ隣接する規制凸部１９とにより構成され、第２保持手段は横方向に隣接する上下各一対の規制凸部１９により構成されている。そのため、第１保持手段及び第２保持手段を簡単に構成することができる。
【００３６】
・  各規制部１７の内側面とそれに隣接する規制凸部１９間の間隔は両脚部１２の長辺の外径より若干大きめに形成されている。そのため、各脚部１２は第１保持部に保持された状態でその位置を微調整することができ、支持スタンド１１の下端部を収容容器２０の係合凹部２８に係合させる作業及び支持スタンド１１の上端部を収容容器２０の係止凹部３２に係止させる作業を容易に行うことができる。
【００３７】
・  折曲げ部１５の軸線方向への長さは突出板３１間の間隔とほぼ同じに形成されている。そのため、支持スタンド１１の上部に別の収容容器２０を支持したとき、例えば側方から外力が作用して、別の収容容器２０が横方向へ移動しようとしても、突出板３１の内面が折曲げ部１５に当接して、折曲げ部１５により別の収容容器２０を横方向へ移動不能に支持することができる。
【００３８】
・  各規制凸部１９は平面形状が緩やかな円弧状に突出形成されている。そのため、各脚部１２は各規制凸部１９を容易に乗り越えることができ、それらの開脚作業及び閉脚作業を容易に行うことができる。
【００３９】
・  第２保持手段により一対の脚部１２の閉脚状態が保持される。そのため、支持スタンド１１の一対の脚部１２が不用意に開くのを防止することができる。
・  各規制部１７及び各規制凸部１９は両ジョイント体１３の両面に突出形成され、第１保持手段及び第２保持手段が両ジョイント体１３の両側に備えられている。そのため、一対の脚部１２を両ジョイント体１３の両側で保持することができ、ジョイント体１３を小さくすることができるとともに、支持スタンド１１の小型化を図ることができる。
【００４０】
なお、本実施形態は、次のように変更して具体化することも可能である。
・  図７に示すように、支持スタンド１１の両短辺の折曲げ部１５に収容体としての収容袋３８の一対の手提げ部３９を掛止させても良い。このように構成した場合、収容袋３８の上端開口部を開放した状態にすることができるとともに、袋形状を保持して収容袋３８を使用しやすくすることができる。また、それらを横方向へ複数個並べても良い。
【００４１】
・  図８に示すように、支持スタンド１１の上部のみに収容容器２０を支持させても良い。このように構成した場合、収容容器２０の位置を高くして、収容容器２０を使いやすくすることができる。また、それらを横方向へ複数個並べても良い。
【００４２】
・  両ジョイント体１３の外面側において、他方の規制部１７の内側面とそれに隣接する上側の規制凸部１９との間及び一方の規制部１７の内側面とそれに隣接する下側の規制凸部１９との間に、一方の脚部１２が開脚した状態を保持する第１保持手段を構成しても良い。また、両ジョイント体１３の内面側において、一方の規制部１７の内側面とそれに隣接する上側の規制凸部１９との間及び他方の規制部１７の内側面とそれに隣接する下側の規制凸部１９との間に、他方の脚部１２が開脚した状態を保持する第１保持手段を構成しても良い。
【００４３】
・  収容容器２０の両係合凹部２８に支持スタンド１１の両短辺を係合させて、収容容器２０上に支持スタンド１１を支持させ、その支持スタンド１１の両折曲げ部１５に収容体としての収容袋３８の一対の手提げ部３９を掛止させても良い。このように構成した場合も、１個の収容容器２０に必要なスペースで上下方向に２つの収容体を設置することができる。その結果、収容容器２０の設置スペースを節約することができる。
【００４４】
・  下方に位置する収容容器２０及び上方に位置する別の収容容器２０の少なくとも一方の蓋体３４を省略しても良い。
・  収容容器２０又は収容袋３８に、被収容物として洗濯物、玩具、医療廃棄物等を収容させて使用しても良い。また、支持スタンド１１の上部に収容かごを支持させ、その収容かごに被収容物として洗濯物、玩具等を収容させても良い。
【００４５】
・  図９に示すように、ジョイント体１３をその上半分の半円状又は扇形状に形成し、両規制部１７を上半分で構成し、規制凸部１９を上半分の一対だけにしても良い。このように構成した場合、第１保持手段及び第２保持手段を構成することができるとともに、ジョイント体１３を小さくして材料の節約を図ることができる。
【００４６】
・  図９の２点鎖線に示すように、一対の規制部１７を円柱状、楕円柱状等の突起で形成しても良い。
・  両脚部１２の折曲げ部１５を省略し、両短辺を直線状に形成しても良い。このように構成した場合も、両短辺を収容容器２０の係止凹部３２に係止することができ、支持スタンド１１の上部に収容容器２０を支持させることができる。
【００４７】
・  支持スタンド１１の各脚部１２の一対の短辺の軸線方向への長さをそれぞれ延長し、各脚部１２の一方の短辺に折曲げ部１５を２箇所に形成しても良い。このように構成した場合、１個の支持スタンド１１で２つの収容容器２０又は収容袋３８を支持することができる。さらに、２つの収容容器２０上に支持スタンド１１を支持させ、その支持スタンド１１に別の２つの収容容器２０又は２つの収容袋３８を支持させても良い。このように構成した場合、４種類の被収容物を分別して収容することができる。
【００４８】
・  連結部材１４をボルトとナット、連結ピン等に変更しても良い。
・  一対の脚部１２を金属パイプ、合成樹脂材料等に変更して成形し、ジョイント体１３を金属材料等に変更して成形しても良い。
【００４９】
さらに、前記実施形態より把握できる技術的思想について以下に記載する。
・  有底箱状をなす収容容器の少なくとも一対の相対向する側壁に、下方へ突出する突出板を形成するとともに、その突出板に下方へ開口する係止凹部を形成し、前記一対の脚部の両上端部の両側に、その係止凹部に係止可能な係止部を形成するとともに、両係止部の間に前記突出板間に係合可能な折曲げ部を形成した請求項１〜請求項３のいずれかに記載の支持スタンド。
【００５０】
このように構成した場合、支持スタンドの上部に収容容器を支持したとき、例えば側方から外力が作用して、その収容容器が横方向へ移動しようとしても、突出板の内面が折曲げ部に当接して、折曲げ部により収容容器を横方向へ移動不能に支持することができる。
【００５１】
・  前記第１保持手段及び第２保持手段はジョイント体の両面に備えられている請求項１〜請求項３のいずれかに記載の支持スタンド。
このように構成した場合、ジョイント体が大きくなるのを防止して支持スタンドの小型化を図ることができる。
【００５２】
【発明の効果】
以上詳述したように、この発明によれば、次のような効果を奏する。
請求項１に記載の発明の支持スタンドによれば、部品点数を少なくして、その構成を簡易化するとともに、組立が簡単で製造コストの低減を図ることができる。また、第１保持手段及び第２保持手段を簡単に構成することができる。
【図面の簡単な説明】
【図１】  実施形態の支持スタンドを示す斜視図。
【図２】  実施形態の支持スタンドを示す正面図。
【図３】  （ａ）はジョイント体を示す部分正面図、（ｂ）は図３（ａ）の３−３線断面図。
【図４】  実施形態の収容容器を示す斜視図。
【図５】  （ａ）は収容容器の係合凹部に支持スタンドを係合した状態を示す部分断面図、（ｂ）は支持スタンドの上部に収容容器の係止凹部を係止した状態を示す部分側面図。
【図６】  支持スタンドに収容容器を組み付けた状態を示す斜視図。
【図７】  支持スタンドの上端部に収容袋を支持させた状態を示す斜視図。
【図８】  支持スタンドに収容容器を支持させた状態を示す斜視図。
【図９】  ジョイント体の別例を示す部分正面図。
【符号の説明】
１１…支持スタンド、１２…脚部、１３…ジョイント体、１４…連結部材としての連結軸、１７…第１保持手段を構成する突起としての規制部、１９…第１保持手段及び第２保持手段を構成する突起としての規制凸部。
【図１】
0004478252.tif 000002
【図２】
0004478252.tif 000003
【図３】
0004478252.tif 000004
【図４】
0004478252.tif 000005
【図５】
0004478252.tif 000006
【図６】
0004478252.tif 000007
【図７】
0004478252.tif 000008
【図８】
0004478252.tif 000009
【図９】
0004478252.tif 000010